(57)【要約】【課題】信号処理負荷が軽減し、画像ズレの無い広ダイナミックレンジの撮像画像を得る。【解決手段】同一画素列中の所定時間に渡って露光した第１画素の信号電荷と該所定時間のうちの一部時間に渡って露光した第２画素の信号電荷とを該画素列に沿う電荷転送路に読み出し該電荷転送路上で加算混合して転送する。同時に受光開始し同時に受光終了する第１画素と第２画素のうち該第２画素の蓄積電荷を前記受光終了前の所定タイミングで電荷転送路に読み出して廃棄し、該第２画素の露光時間を前記所定タイミングから前記受光終了までとする。【選択図】図４
2009141404.tif 000002
【特許請求の範囲】
【請求項１】
半導体基板上に二次元アレイ状に配列形成され受光量に応じた信号電荷を蓄積する複数の画素と、画素列に沿って形成され各画素から読み出された前記信号電荷を転送する電荷転送路とを備えるＣＣＤ型固体撮像素子の駆動制御方法において、同一画素列中の所定時間に渡って露光した第１画素の信号電荷と該所定時間のうちの一部時間に渡って露光した第２画素の信号電荷とを該画素列に沿う前記電荷転送路に読み出し該電荷転送路上で加算混合して転送することを特徴とするＣＣＤ型固体撮像素子の駆動制御方法。
【請求項２】
同時に受光開始し同時に受光終了する前記第１画素と前記第２画素のうち該第２画素の蓄積電荷を前記受光終了前の所定タイミングで前記電荷転送路に読み出して廃棄し該第２画素の露光時間を前記所定タイミングから前記受光終了までとすることを特徴とする請求項１に記載のＣＣＤ型固体撮像素子の駆動制御方法。
【請求項３】
ＣＣＤ型固体撮像素子が単板式のカラー画像撮像用である場合には前記第１画素と前記第２画素とは同色カラーフィルタが積層された画素のうち最近接する画素であることを特徴とするＣＣＤ型固体撮像素子の駆動制御方法。
【請求項４】
同一画素列に属する複数個の前記第１画素の信号電荷と、該複数個と同数の前記第２画素の信号電荷とを前記加算混合することを特徴とする請求項１乃至請求項３のいずれかに記載のＣＣＤ型固体撮像素子の駆動制御方法。
【請求項５】
前記電荷転送路が垂直電荷転送路であり、該垂直電荷転送路で加算混合されて転送されてきた信号電荷を水平電荷転送路上でも加算混合することを特徴とする請求項１乃至請求項４のいずれかに記載のＣＣＤ型固体撮像素子の駆動制御方法。
【請求項６】
半導体基板上に二次元アレイ状に配列形成され受光量に応じた信号電荷を蓄積する複数の画素及び画素列に沿って形成され各画素から読み出された前記信号電荷を転送する電荷転送路を備えるＣＣＤ型固体撮像素子と、請求項１乃至請求項５のいずれかに記載の駆動制御方法で該ＣＣＤ型固体撮像素子を駆動させる駆動手段とを備えることを特徴とする撮像装置。
【発明の詳細な説明】
【技術分野】
【０００１】
本発明は、ＣＣＤ型固体撮像素子を用いて広ダイナミックレンジの被写体画像を撮像する駆動制御方法及び撮像装置に関する。
【背景技術】
【０００２】
近年のＣＣＤ型固体撮像素子は数百万画素以上を搭載するため、１画素１画素が微小になりその飽和電荷量が小さいため、広ダイナミックレンジの被写体画像を撮像するのが困難になっている。
【０００３】
そこで、従来から、長時間露光で得た撮像画像信号と、短時間露光で得た撮像画像信号とを合成処理することで、被写体画像の広ダイナミックレンジ化を図ることが行われている。
【０００４】
例えば、特許文献１記載の従来技術では、長時間露光で画素（フォトダイオード）に蓄積された信号電荷を垂直電荷転送路（ＶＣＣＤ）に読み出し各画素を空にした後、短時間露光で再び画素に信号電荷を蓄積させ、その後に、垂直電荷転送路上の長時間露光による信号電荷を固体撮像素子から外部に読み出した後、各画素の短時間露光による信号電荷を固体撮像素子から外部に読み出し、信号処理により被写体画像を合成する様にしている。
【０００５】
特許文献２記載の従来技術では、長時間露光による信号電荷の転送用の水平電荷転送路と、短時間露光による信号電荷の転送用の水平電荷転送路を２本設け、各信号電荷の外部への読み出しを並行して行った後、信号処理により被写体画像を合成する様にしている。
【０００６】
特許文献３記載の従来技術では、フィールド別に長時間露光と短時間露光とを行い、各露光により得られた信号電荷を外部に読み出した後、信号処理により被写体画像を合成する様にしている。
【０００７】
特許文献４記載の従来技術では、フィールド読み出しする固体撮像装置において、画素混合するフィールドと、画素混合しないフィールドとを分け、両フィールドで読み出された信号すなわち画素混合の有無による輝度差の有る信号を、信号処理により合成して、被写体画像の広ダイナミックレンジ化を図っている。
【０００８】
【特許文献１】特開平１１―２３４５７２号公報
【特許文献２】特開２０００―７８４８０号公報
【特許文献３】特開２０００―９２３８４号公報
【特許文献４】特開２００５―３０３５４６号公報
【発明の開示】
【発明が解決しようとする課題】
【０００９】
長時間露光により得た画像信号と、短時間露光により得た画像信号とを合成することで、被写体画像のダイナミックレンジを拡大することができる。しかし、信号処理により画像合成するため、信号処理の負荷が高くなり、また、処理時間を要し、更に画像信号を保持するメモリ等の部品点数も増大するという問題がある。特に、特許文献４の従来技術の様に、画素数の異なる２つの画像信号を合成する場合には、更に信号処理負荷が増大してしまう。
【００１０】
また、長時間露光と短時間露光とを連続して行っても、２回の露光に分けた画像信号を合成するため、長時間露光画像と短時間露光画像との間に時間ズレが生じてしまうという問題もある。
【００１１】
本発明の目的は、信号処理負荷が軽減し、画像ズレの無い広ダイナミックレンジの撮像画像を得ることが可能なＣＣＤ型固体撮像素子の駆動制御方法及び撮像装置を提供することにある。
【課題を解決するための手段】
【００１２】
本発明のＣＣＤ型固体撮像素子の駆動制御方法は、半導体基板上に二次元アレイ状に配列形成され受光量に応じた信号電荷を蓄積する複数の画素と、画素列に沿って形成され各画素から読み出された前記信号電荷を転送する電荷転送路とを備えるＣＣＤ型固体撮像素子の駆動制御方法において、同一画素列中の所定時間に渡って露光した第１画素の信号電荷と該所定時間のうちの一部時間に渡って露光した第２画素の信号電荷とを該画素列に沿う前記電荷転送路に読み出し該電荷転送路上で加算混合して転送することを特徴とする。
【００１３】
本発明のＣＣＤ型固体撮像素子の駆動制御方法は、同時に受光開始し同時に受光終了する前記第１画素と前記第２画素のうち該第２画素の蓄積電荷を前記受光終了前の所定タイミングで前記電荷転送路に読み出して廃棄し該第２画素の露光時間を前記所定タイミングから前記受光終了までとすることを特徴とする。
【００１４】
本発明のＣＣＤ型固体撮像素子の駆動制御方法は、ＣＣＤ型固体撮像素子が単板式のカラー画像撮像用である場合には前記第１画素と前記第２画素とは同色カラーフィルタが積層された画素のうち最近接する画素であることを特徴とする。
【００１５】
本発明のＣＣＤ型固体撮像素子の駆動制御方法は、同一画素列に属する複数個の前記第１画素の信号電荷と、該複数個と同数の前記第２画素の信号電荷とを前記加算混合することを特徴とする。
【００１６】
本発明のＣＣＤ型固体撮像素子の駆動制御方法は、前記電荷転送路が垂直電荷転送路であり、該垂直電荷転送路で加算混合されて転送されてきた信号電荷を水平電荷転送路上でも加算混合することを特徴とする。
【００１７】
本発明の撮像装置は、半導体基板上に二次元アレイ状に配列形成され受光量に応じた信号電荷を蓄積する複数の画素及び画素列に沿って形成され各画素から読み出された前記信号電荷を転送する電荷転送路を備えるＣＣＤ型固体撮像素子と、上記のいずれかに記載の駆動制御方法で該ＣＣＤ型固体撮像素子を駆動させる駆動手段とを備えることを特徴とする。
【発明の効果】
【００１８】
本発明によれば、長時間露光により得られた信号電荷と、同一露光時間内の短時間露光により得られた信号電荷とを、電荷転送路上で加算混合するため、画像ズレ（時間ズレ）のない長時間露光画像と短時間露光画像とを合成した広ダイナミックレンジの被写体画像を、信号の合成処理を行うことなく得ることが可能となる。この結果、本発明では、撮像画像の高速処理が実現でき、メモリ等の容量が少なくて済むため低コスト化や省スペース化を図ることができ、また、高速シャッタで撮影を行うことが可能となる。
【発明を実施するための最良の形態】
【００１９】
以下、本発明の一実施形態について、図面を参照して説明する。
【００２０】
図１は、本発明の一実施形態に係る撮像装置の機能ブロック図である。この撮像装置はデジタルカメラを例としており、撮像部２１と、撮像部２１から出力されるアナログの画像データを自動利得調整（ＡＧＣ）や相関二重サンプリング処理（ＣＤＳ）等のアナログ処理するアナログ信号処理部２２と、アナログ信号処理部２２から出力されるアナログ画像データをデジタル画像データに変換するアナログデジタル変換部（Ａ／Ｄ）２３と、後述のシステム制御部（ＣＰＵ）２９からの指示によってＡ／Ｄ２３，アナログ信号処理部２２，撮像部２１の駆動制御を行う駆動部（タイミングジェネレータＴＧを含む）２４と、ＣＰＵ２９からの指示によって発光するフラッシュ２５とを備える。
【００２１】
撮像部２１は、被写界からの光を集光する光学レンズ系２１ａと、該光学レンズ系２１ａを通った光を絞る絞りや静止画像撮像時に用いるメカニカルシャッタ２１ｂと、光学レンズ系２１ａによって集光され絞りによって絞られた光を受光し撮像画像データ（アナログ画像データ）を出力する単板式のカラー画像撮像用固体撮像素子１００とを備える。
【００２２】
本実施形態のデジタルカメラは更に、Ａ／Ｄ２３から出力されるデジタル画像データを取り込み補間処理やホワイトバランス補正，ＲＧＢ／ＹＣ変換処理，後述する第１画素群，第２画素群の各検出信号の合成処理等を行うデジタル信号処理部２６と、画像データをＪＰＥＧ形式などの画像データに圧縮したり逆に伸長したりする圧縮／伸長処理部２７と、メニューなどを表示したりスルー画像や撮像画像を表示する表示部２８と、デジタルカメラ全体を統括制御するシステム制御部（ＣＰＵ）２９と、フレームメモリ等の内部メモリ３０と、ＪＰＥＧ画像データ等を格納する記録メディア３２との間のインタフェース処理を行うメディアインタフェース（Ｉ／Ｆ）部３１と、これらを相互に接続するバス４０とを備え、また、システム制御部２９には、ユーザからの指示入力を行う操作部３３が接続されている。ユーザ操作部３３は、シャッタレリーズボタン等を含む。
【００２３】
図２は、固体撮像素子１００の表面模式図である。この固体撮像素子１００は、半導体基板上に正方格子配列された複数のフォトダイオード（光電変換素子：画素）１０１と、各画素列に沿って設けられた垂直電荷転送路（ＶＣＣＤ）１０２と、各垂直電荷転送路１０２の転送方向端部に沿って形成された水平電荷転送路（ＨＣＣＤ）１０３と、水平電荷転送路１０３の出力端部に設けられ転送されてきた信号電荷の電荷量に応じた電圧値信号を画像信号として出力する出力アンプ１０４とを備える。
【００２４】
尚、垂直，水平という用語を用いて電荷転送路を説明するが、これは、半導体基板の表面に沿う１方向，この１方向に対して略直角の方向という意味に過ぎない。
【００２５】
図示する固体撮像素子１００は、単板式のカラー画像撮像用であるため、各画素１０１の上には、原色系のカラーフィルタＲ（赤色），Ｇ（緑色），Ｂ（青色）のいずれかが積層されている。
【００２６】
図示する例では、Ｒ，Ｂ，Ｒ，Ｂ，…と赤色と青色が交互に積層された画素列と、Ｇの縦ストライプのフィルタが設けられた列とが交互に設けられている。緑色のカラーフィルタを積層した画素に単に「Ｇ」ではなく「Ｇ１」「Ｇ２」と記載しているが、これは、以下の説明や図示の都合上、Ｇ１を設けた画素とＧ２を設けた画素とを区別するために過ぎず、カラーフィルタとしては同じ緑色である。
【００２７】
図３は、図２に示す固体撮像素子１００のうち８行４列分を示す図である。本実施形態に係る固体撮像素子１００は、２フィールド読み出しする構成になっており、「１ＦＬＤ」と記載した１行置きの画素行から信号電荷を読み出すフィールドと、「２ＦＬＤ」と記載した１行置きの画素行から信号電荷を読み出すフィールドとに分けられる。図中の「Ｌｏｎｇ」は長時間露光を示し、「Ｓｈｏｒｔ」は短時間露光を示している。
【００２８】
図４は、図１に示すシステム制御部（ＣＰＵ）２９の指示のもとで駆動部２４が制御する固体撮像素子１００の駆動タイミングチャートである。固体撮像素子１００は、常時、動画状態の被写体画像を取り込みデジタル信号処理部２６はこの動画状態の画像信号を処理している。
【００２９】
ＣＰＵ２９は、操作部３３のシャッタレリーズボタンが半押しされたとき、デジタル信号処理部２６の処理結果に基づき、静止画像撮像時の露光時間やシャッタスピード等を算出し、シャッタレリーズボタンが全押しされたとき、駆動部２４に指示を出力する。そして、固体撮像素子１００は、この駆動部２４からの制御により、図４に示す動作を行う。
【００３０】
メカニカルシャッタが「開」状態で電子シャッタパルスＳＵＢが繰り返し固体撮像素子１００の半導体基板に印加されている間は、各画素１０１の蓄積電荷は基板側に廃棄される。シャッタレリーズボタンが全押しされると、タイミングｔ０で最後の電子シャッタパルスＳＵＢが印加された後、電子シャッタパルスＳＵＢの印加が停止される。これにより、各画素１０１に受光量に応じた信号電荷の蓄積が開始される。
【００３１】
ＣＰＵ２９が算出した上記の露光時間は、図４に示す「長時間露光」の時間に該当する。駆動部２４は、電子シャッタ「開」のタイミングｔ０後の、長時間露光が終了するタイミングｔ２前の所定のタイミングｔ１で、図３に示す各フィールドの「Ｓｈｏｒｔ」と記載した画素行の読み出し電極に、読出パルスａを印加する。「Ｌｏｎｇ」と記載した画素行の読み出し電極には、タイミングｔ１では読出パルスは印加しない。
【００３２】
これにより、図５に示す様に、図３の「Ｓｈｏｒｔ」の画素のタイミングｔ０〜ｔ１中に蓄積された信号電荷（○印で示す。）は、図５に示す様に、垂直電荷転送路（ＶＣＣＤ）１０２に読み出され、垂直電荷転送路上に保持される。この信号電荷は、後述の高速掃出パルスで廃棄される。「Ｓｈｏｒｔ」の画素は、タイミングｔ１以後、信号電荷の蓄積を開始する。
【００３３】
露光時間が経過するタイミングｔ２に達すると、メカニカルシャッタが「閉」となり、これ以上の信号電荷の蓄積は停止される。このとき、図３の「Ｌｏｎｇ」で示された画素には、タイミングｔ０〜ｔ２の長時間露光された信号電荷が蓄積され、「Ｓｈｏｒｔ」で示される画素には、タイミングｔ１〜ｔ２の短時間露光された信号電荷が蓄積される。
【００３４】
メカニカルシャッタが「閉」になると、垂直電荷転送路（ＶＣＣＤ）１０２には高速掃出パルスｂが印加され、これにより、垂直電荷転送路上のスミア電荷やタイミングｔ１の読出パルスａにより読み出された信号電荷は、廃棄される。
【００３５】
次のタイミングｔ３で、図３の第１フィールド（１ＦＬＤ）で読み出される画素行に対して読出パルスｃが印加されると、第１フィールドの各画素の蓄積電荷が、図６（ａ）に示されるように、垂直電荷転送路に読み出される。
【００３６】
図示する例では、ＲＢＲＢ…の画素列に隣接する垂直電荷転送路にはＲ画素だけの信号電荷が読み出され、Ｇ１…の画素列に隣接する垂直電荷転送路にはＧ１画素だけの信号電荷が読み出され、ＢＲＢＲ…の画素列に隣接する垂直電荷転送路にはＢ画素だけの信号電荷が読み出され、Ｇ２…の画素列に隣接する垂直電荷転送路にはＧ２画素だけの信号電荷が読み出される。
【００３７】
図６（ａ）中に示す◎印は長時間露光による信号電荷を示し、○印は短時間露光による信号電荷を示している。即ち、本実施形態によれば、同色の信号電荷が垂直方向に並び、また、長時間露光の信号電荷と短時間露光の信号電荷とが垂直方向に交互に並ぶことになる。
【００３８】
次に、各垂直電荷転送路上の信号電荷を水平電荷転送路１０３の方向に転送するのであるが、この転送中に、長時間露光の信号電荷（◎）と短時間露光の信号電荷（○）とを垂直電荷転送路上で加算混合し、この混合された信号電荷を水平電荷転送路１０３で転送し、アンプ１０４から出力させる。
【００３９】
第１フィールドの加算混合した信号電荷の出力が終わった後は、再び垂直電荷転送路に高速掃出パルスｄを印加して綺麗にし、次に第２フィールドの画素行にタイミングｔ４で読出パルスｅを印加する。これにより、図６（ｂ）に示されるように、長時間露光の信号電荷と、これと同色の短時間露光の信号電荷とが読み出されるため、これを図６（ａ）の説明と同様に加算混合してアンプ１０４から出力させる。
【００４０】
この様に、本実施形態によれば、同色の長時間露光による信号電荷と短時間露光による信号電荷とを垂直電荷転送路上で加算混合するため、後段のデジタル信号処理部２６は、従来の様に画像信号の合成処理をすることなく、広ダイナミックレンジの画像信号を得ることが可能となる。
【００４１】
また、本実施形態によれば、図４に示されるように、長時間露光中に短時間露光が重なる様に固体撮像素子を駆動するため、長時間露光による画像と短時間露光による画像との間に時間的なズレが生じることがない。
【００４２】
図７，図８は、図２とは異なるカラーフィルタ配列を持つ固体撮像素子１００の画素混合の様子を説明する図である。本実施形態の固体撮像素子１００では、図７に示す様に、水平方向にＲＢＲＢ…の画素が並ぶ画素行（ｎライン，ｎ＋４ライン，…）と、横Ｇストライプの画素行（ｎ＋１ライン，ｎ＋５ライン，…）と、ＢＲＢＲ…の画素が並ぶ画素行（ｎ＋２ライン，ｎ＋６ライン，…）と、横Ｇストライプの画素行（ｎ＋３ライン，ｎ＋７ライン，…）の４行の画素行を１セットとしこれを垂直方向に並べた構成になっている。
【００４３】
この１セットのうち、最初の２行が長時間露光「Ｌｏｎｇ」用、次の２行が短時間露光「Ｓｈｏｒｔ」であり、各２行の最初の画素行が第１フィールドで読み出され、次行が第２フィールドで読み出される構成になっている。即ち、第１フィールドでは、Ｒ画素とＢ画素の信号電荷が読み出され、第２フィールドではＧ画素の信号電荷が読み出される構成になっている。
【００４４】
第１フィールドでは、先ず図８（ａ）に示す様に、ｎ，ｎ＋４，ｎ＋８，…ｎ＋４ｉ（ｉ＝０，１，２，…）ラインの信号電荷のみを垂直電荷転送路に読み出す。読み出された信号電荷は、同色の長時間露光の信号電荷（◎）と短時間露光の信号電荷（○）とが、垂直電荷転送路上で交互に並ぶことになる。短時間露光の信号電荷（○）を２段だけ垂直方向に転送し、長時間露光の信号電荷（◎）を４段だけ垂直方向に転送すると、図８（ｂ）に示す様に、両信号電荷が加算（◎＋○）され、且つ、その加算電荷の位置は、同色の画素行位置に来る。
【００４５】
次に、ｎ＋２，ｎ＋６，…ｎ＋２＋４ｉ（ｉ＝０，１，２，…）ラインの信号電荷を垂直電荷転送路に読み出すと、図８（ｃ）に示す状態となり、これも同色の長時間露光の信号電荷（◎）と短時間露光による信号電荷（○）とを垂直電荷転送路上で加算する。
【００４６】
第２フィールドでは、第１フィールドと同様に、Ｇ画素の信号電荷の加算混合を垂直電荷転送路上で行う。
【００４７】
図９は、本発明の別実施形態に係る固体撮像素子のカラーフィルタ配列を示す図である。この実施形態では、長時間露光用画素行（Ｌｏｎｇ）と短時間露光用画素行（Ｓｈｏｒｔ）が垂直方向に交互に並び、画素列としては、ＲＲＢＢＲＲＢＢ…となる画素列と、縦Ｇストライプの画素列と、ＢＢＲＲＢＢＲＲ…となる画素列と、縦Ｇストライプの画素列とが並んでいる。即ち、同色カラーフィルタが垂直方向に２画素づつ連続する様に配列されている。
【００４８】
この実施形態では、図１０（ａ）に示す様に、全画素の信号電荷を垂直電荷転送路上に読み出し、長時間露光の信号電荷（◎）を１段垂直方向に転送すると、図１０（ｂ）に示す様に、これが同色の短時間露光の信号電荷（○）と垂直電荷転送路上で加算混合されることになる。以後、順に転送することで、加算電荷が図２のアンプ１０４から出力されることになる。
【００４９】
この様に、本実施形態では、全画素読み出しする固体撮像素子においても、同色信号電荷の画素加算を垂直電荷転送路上で行うことが可能となり広ダイナミックレンジ且つ画像ズレの無い被写体画像を得ることが可能となる。
【００５０】
図１１は、垂直方向の同色４画素の画素加算を垂直電荷転送路上で行う場合の説明図である。この４画素加算を行う固体撮像素子のカラーフィルタ配列は、図９に示すものと同じである。
【００５１】
以下、図１１の左端の画素列のカラーフィルタの色で説明すれば、先ず、図１１（ａ）に示す様に、垂直方向に２つづつ隣接するＲ画素の各信号電荷を垂直電荷転送路に読み出し、隣接する２画素のＲ画素の信号電荷を加算する（図１１（ｂ））。次に、２画素加算されたＲ画素の信号を垂直方向に隣接する２画素加算電荷と、図１１（ｃ）に示す様に、垂直電荷転送路上で加算する。
【００５２】
次に、Ｂ画素についてもＲ画素と同様にすることで４画素加算を垂直電荷転送路上で行い、出力する（図示省略）。尚、同様の処理で、８画素加算やそれ以上の加算も可能となる。
【００５３】
この様に画素加算する数を増やすことで、暗いシーンでも高速シャッタで撮影し広ダイナミックレンジの被写体画像を得ることが可能となるため、失敗写真の撮影を回避でき、手振れや被写体ブレの少ない画像を撮影することが可能となる。
【００５４】
図１２は、水平電荷転送路上で同色の信号電荷を画素加算する説明図である。Ｒ信号電荷を例に説明すれば、左側のＲ信号電荷は垂直電荷転送路１１１上で画素加算され水平電荷転送路間際まで転送されてきた信号電荷であり、右側のＲ信号電荷は垂直電荷転送路１１２上で画素加算された水平電荷転送路間際まで転送されてきた信号電荷である。
【００５５】
垂直電荷転送路１１２によって水平電荷転送路に転送されたＲ信号電荷は、水平電荷転送路によって水平方向に転送されることになるが、このＲ信号電荷が、垂直電荷転送路１１１の位置まで転送されてきたとき、垂直電荷転送路１１１によって転送されてきた左側のＲ信号電荷を水平電荷転送路１０３に転送する。これにより、水平電荷転送路上で、４画素加算が行われる。
【００５６】
本実施形態でも、画素加算する数を増やすことができるため、失敗写真の撮影を回避でき、手振れや被写体ブレの少ない画像を撮影することができる。
【産業上の利用可能性】
【００５７】
本発明に係るＣＣＤ型固体撮像素子の駆動制御方法は広ダイナミックレンジの撮像画像を信号処理によらずに得ることができるため、デジタルカメラ等の撮像装置に適用すると有用である。
【図面の簡単な説明】
【００５８】
【図１】本発明の一実施形態に係るデジタルカメラの機能ブロック図である。
【図２】図１に示すＣＣＤ型単板式カラー固体撮像素子の表面模式図である。
【図３】図２に示す固体撮像素子の８行４列分の画素に積層されたカラーフィルタを示す図である。
【図４】図２の駆動部が固体撮像素子を駆動制御するときのタイミングチャートである。
【図５】本発明の一実施形態による固体撮像素子の駆動制御により廃棄される信号電荷の説明図である。
【図６】本発明の一実施形態による駆動制御により加算される長時間露光と短時間露光の各信号電荷を示す図である。
【図７】本発明の別実施形態に係るカラーフィルタ配列を示す図である。
【図８】図７のカラーフィルタ配列を持つ固体撮像素子における画素加算の様子を説明する図である。
【図９】本発明の更に別実施形態に係るカラーフィルタ配列を示す図である。
【図１０】図９に示すカラーフィルタ配列を持つ固体撮像素子における２画素加算の様子を説明する図である。
【図１１】図９に示すカラーフィルタ配列を持つ固体撮像素子のおける４画素加算の様子を説明する図である。
【図１２】水平電荷転送路上で画素加算する様子を説明する図である。
【符号の説明】
【００５９】
２１  撮像部
２４  駆動部
２６  デジタル信号処理部
２９  システム制御部
１００  ＣＣＤ型固体撮像素子
１０１  画素（フォトダイオード）
１０２  垂直電荷転送路（ＶＣＣＤ）
１０３  水平電荷転送路（ＨＣＣＤ）
１０４  出力アンプ
【図１】
2009141404.tif 000003
【図２】
2009141404.tif 000004
【図３】
2009141404.tif 000005
【図４】
2009141404.tif 000006
【図５】
2009141404.tif 000007
【図６】
2009141404.tif 000008
【図７】
2009141404.tif 000009
【図８】
2009141404.tif 000010
【図９】
2009141404.tif 000011
【図１０】
2009141404.tif 000012
【図１１】
2009141404.tif 000013
【図１２】
2009141404.tif 000014